(57)【要約】【課題】電気接続箱内に水分が浸入しても、この水分のバスバーに付着する量を減少することのできるバスバー回路板を提供すること。【解決手段】絶縁基板１１を鉛直に配置し、絶縁基板１１上に異なる電位を持つ少なくとも２種のバスバー１３，１５を配置してなるバスバー回路板１０において，絶縁基板１１を覆うカバー１３，１５をバスバー回路板１０に設け，電位の異なる２種のバスバー１３，１５を鉛直方向に上下して水平方向に配策されるバスバー１３，１５間に該バスバー１３，１５の厚さより大きい高さの分離用リブ１４を設け，カバー１７に分離用リブ１４に沿って分離用リブ１４が外部に露出するようにスリット１８，３０Ａ，３０Ｂ，３０Ｃを形成して構成する。【選択図】　　　図１
2004120907.tif 000002
【特許請求の範囲】
【請求項１】
絶縁基板を鉛直に配置し、該絶縁基板上に異なる電位を持つ少なくとも２種のバスバーを配置してなるバスバー回路板において，
前記絶縁基板を覆うカバーを前記バスバー回路板に設け，
前記電位の異なる２種のバスバーを鉛直方向に上下して水平方向に配策されるバスバー間に該バスバーの厚さより大きい高さの分離用リブを設け，
前記カバーに前記分離用リブに沿って該分離用リブが外部に露出するようにスリットを形成したことを特徴とするバスバー回路板。
【請求項２】
絶縁基板を鉛直に配置し、該絶縁基板上に異なる電位を持つ少なくとも２種のバスバーを配置してなるバスバー回路板において，
前記絶縁基板を覆うカバーを前記バスバー回路板に設け，
前記電位の異なる２種のバスバーを鉛直方向に上下して水平方向に配策されるバスバー間に該バスバーの厚さより大きい高さの分離用リブを設け，
前記カバーに前記分離用リブに沿って該分離用リブが外部に露出するようにスリットを形成し，
前記バスバーを覆うカバーの前記分離用リブで分離された前記スリットの下側端部に、外側で鉛直方向下方に向かって傾斜する傾斜面を設けたことを特徴とするバスバー回路板。
【請求項３】
前記傾斜面は、前記バスバーの上端部の位置から形成したものである請求項２に記載のバスバー回路板。
【請求項４】
前記分離用リブは、前記バスバーを覆うカバーの外表面から突出する高さに設けたものである請求項１、２又は３に記載のバスバー回路板。
【請求項５】
絶縁基板を鉛直に配置し、該絶縁基板上に異なる電位を持つ少なくとも２種のバスバーを配置してなるバスバー回路板において，
前記絶縁基板を覆うカバーを前記バスバー回路板に設け，
前記電位の異なる２種のバスバーを鉛直方向に上下して水平方向に配策されるバスバー間に該バスバーの厚さより大きい高さの分離用リブを設け，
前記カバーに前記分離用リブに沿って、該分離用リブが外部に露出するようにスリットを形成し，
前記分離用リブは、前記絶縁基板を覆うカバーの前記スリットを貫通し、前記カバーの外表面から突出する高さに形成すると共に、該分離用リブの鉛直方向上面に外側で鉛直方向下方に向かって傾斜する傾斜面を設けたことを特徴とするバスバー回路板。
【請求項６】
前記バスバーを覆うカバーの前記スリットの鉛直方向下側端部は、外側で鉛直方向下方に向かって傾斜する傾斜面を形成したものである請求項５に記載のバスバー回路板。
【請求項７】
前記バスバーは、隣接のバスバー間を分離する前記分離用リブに接して設けたものである請求項１、２、３、４、５又は６に記載のバスバー回路板。
【請求項８】
前記バスバーを覆うカバーの前記スリットの鉛直方向上側端部に、内面下端から下方外面に向かって傾斜する傾斜面を設けたものである請求項１、２、３、４、５、６又は７に記載のバスバー回路板。
【請求項９】
前記分離用リブを挟んで配置される上下２つバスバーは、鉛直方向下側に配置するバスバーの上端部を該分離用リブに接して設け、鉛直方向上側に配置するバスバーの下端部と該分離用リブとの間に溜まった水によって連絡されることのない間隙を設けたものである請求項１、２、３、４、５、６、７又は８に記載のバスバー回路板。
【発明の詳細な説明】
【０００１】
【発明の属する技術分野】
本発明は、鉛直方向に取り付けられる絶縁基板にワイヤーハーネスの相互接続を行ったり、各素子に異なる電圧の電源を供給する複数のバスバーを配策したバスバー回路板に係り、特に、雨、湿気の結露等の水分がバスバー回路板を伝わって流れた際に各バスバー間に短絡現象が生じるのを防ぐことのできるバスバー間の防水構造に関する。
【０００２】
【従来の技術】
ワイヤーハーネスの相互接続にあたって、収納し易さ、外的な要因から保護するため、電気接続箱の中に絶縁基板にバスバーを複数配設したバスバー回路板を収納することが行われている。このバスバー回路は、例えば、図１１に示す如き構成を有している。すなわち、バスバー回路板１は、絶縁材によって構成される絶縁基板２に、異なる電圧の電源を供給する２つのバスバー３、４が分離されて配設されている。この２つの異なる電圧の電源を供給するバスバー３、４は、例えば、高い電圧を供給するバスバー３と、低い電圧を供給するバスバー４が１２Ｖ以上の電位差をもった状態で構成されている。
【０００３】
このバスバー３とバスバー４は、図１２に示す如く、絶縁基板２に形成される分離用リブ５によって分離して配置されている。図１１中６、７は、バスバー３、バスバー４を所定位置に配置するための配置用リブである。この分離用リブ５は、配置用リブ６、７と同じ高さに形成されており、バスバー３とバスバー４を配置するための作用を有しており、いわば配置用リブでもある。この分離用リブ５は、供給電圧の異なる２つのバスバー３とバスバー４を分けて、バスバー３とバスバー４との沿面距離を稼ぎ、バスバー３とバスバー４との間でショート（短絡）を起こさないようにするために設けてある。
【０００４】
図１１においては、バスバー回路板１の絶縁基板２に、バスバーを２個取り付けたものが例として示されているが、この絶縁基板２に取り付けるバスバーは、必ずしも２個に限らず、３個の場合、４個の場合等複数個設けられる場合がある。このバスバー回路板１のバスバー３、４の設置状態は、図１２に示す如く、バスバー３とバスバー４が絶縁基板２に形成される分離用リブ５によって分離した状態になっている。この分離用リブ５は、バスバー３とバスバー４との間の沿面距離を稼いでいる。
【０００５】
【発明が解決しようとする課題】
このように従来のバスバー回路板１にあっては、絶縁基板２にバスバー３、バスバー４が水平に鉛直方向前後して配設され、そのまま電気接続箱に収納されるようになっている。このため、バスバー回路板１を収納する電気接続箱内部に雨等により水の浸入があったり、湿気の結露等による水の浸入があると、絶縁基板２に水平に鉛直方向前後して配設されているバスバー３、バスバー４の水平方向に配設された上端部に水が溜まりやすくなっている。このバスバー３、バスバー４に水がたまると、この溜まった水の作用によって隣接しているバスバー間においてリークが発生する。
【０００６】
この電気接続箱内部に浸入した水８は、バスバー３の表面を流れ、図１２に示す如く、分離用リブ５の鉛直方向上面に溜まり、分離用リブ５を乗り越えてバスバー４の上端部に溜まり、この分離用リブ５の鉛直方向上面に溜まり、バスバー４の上端部に溜まった水によってバスバー３の下端部とバスバー４の上端部とでリークが発生する。そこで、分離用リブ５の幅を大きくして、沿面距離を大きく採って工夫を施し、バスバー３の下端部とバスバー４の上端部とでリークの発生を防ごうとしている。しかし、バスバー３とバスバー４との沿面距離を大きくとると電気接続箱そのものが大きくなり、実状にそぐわないという問題を有している。
【０００７】
本発明の１つの目的は、電気接続箱内に水が浸入しても、この水のバスバーに付着する量を減少することのできるバスバー回路板を提供することにある。
【０００８】
本発明の他の目的は、電気接続箱内に水が鉛直方向上側に配置されるバスバー表面に付着しても、該水が鉛直方向下側に配置されるバスバー表面に流れ込む量を減少又はバスバー表面に流れ込むのを防止することのできるバスバー回路板を提供することにある。
【０００９】
【課題を解決するための手段】
上記課題を解決するため請求項１記載のバスバー回路板は、絶縁基板を鉛直に配置し、絶縁基板上に異なる電位を持つ少なくとも２種のバスバーを配置してなるバスバー回路板において，
絶縁基板を覆うカバーをバスバー回路板に設け，
電位の異なる２種のバスバーを鉛直方向に上下して水平方向に配策されるバスバー間に該バスバーの厚さより大きい高さの分離用リブを設け，
カバーに分離用リブに沿って分離用リブが外部に露出するようにスリットを形成して構成したものである。
【００１０】
このように構成することにより、請求項１に記載された本発明によれば、カバーによってバスバー表面への水の付着量を少なくすることができる。また、鉛直方向上側に配置されるバスバーの表面に付着した水が表面を伝わって下方に流れ、分離用リブの上面に到達し分離用リブの表面を伝わって流れても、分離用リブがスリットの中に、バスバーの厚さより高い高さに設けられているため、分離用リブの表面を伝わって流れた水は、分離用リブから流れ落ちてもカバーの鉛直方向上側端部に落下し、カバー表面を伝わって流れるため、カバーと鉛直方向下側に配置されるバスバーとの間に流れ込む水の量を減少又はカバーとバスバーとの間に流れ込むのを防止することができる。
【００１１】
上記課題を解決するため請求項２記載のバスバー回路板は、絶縁基板を鉛直に配置し、絶縁基板上に異なる電位を持つ少なくとも２種のバスバーを配置してなるバスバー回路板において，
絶縁基板を覆うカバーをバスバー回路板に設け，
電位の異なる２種のバスバーがを鉛直方向に上下して水平方向に配策されるバスバー間にバスバーの厚さより大きい高さの分離用リブを設け，
カバーに分離用リブに沿って分離用リブが外部に露出するようにスリットを形成し，
バスバーを覆うカバーの分離用リブで分離されたスリットの下側端部に、外側で鉛直方向下方に向かって傾斜する傾斜面を設けたものである。
【００１２】
このように構成することにより、請求項２に記載された本発明によれば、カバーによってバスバー表面への水の付着量を少なくすることができる。また、鉛直方向上側に配置されるバスバーの表面に付着した水が表面を伝わって下方に流れ、分離用リブの上面に到達し分離用リブの表面を伝わって流れても、分離用リブがスリットの中に、バスバーの厚さより高い高さに設けられているため、分離用リブの表面を伝わって流れた水は、分離用リブから流れ落ちてもカバーの鉛直方向上側端部に落下し、多くはカバー表面を伝わって流れるため、カバーと鉛直方向下側に配置されるバスバーとの間に流れ込むのを防止することができる。もし分離用リブの上面の水が分離用リブの表面を伝わって下面を伝わり流れても、カバーの鉛直方向上側端部に外側に向かって傾斜する傾斜面を設けているため、この分離用リブ下面とカバーの傾斜面との接点まで流れた水は、この傾斜面によってカバーの外側に落下することになり、カバーと鉛直方向下側に配置されるバスバーとの間に流れ込む量を減少又はカバーとバスバーとの間に流れ込むのを防止することができる。
【００１３】
上記課題を解決するため請求項３記載のバスバー回路板は、外側で鉛直方向下方に向かって傾斜する傾斜面を、バスバーの上端部の位置から形成したものである。
このように構成することにより、請求項３に記載された本発明によれば、分離用リブの上面に流れてくる水が分離用リブの表面を伝わって下面を伝わり流れた水を傾斜面によってカバーの外側に誘導することができ、カバーと鉛直方向下側に配置されるバスバーとの間に流れ込む量を減少又はカバーとバスバーとの間に流れ込むのを防止することができる。
【００１４】
上記課題を解決するため請求項４記載のバスバー回路板は、分離用リブを、バスバーを覆うカバーの外表面から突出する高さに設けたものである。
このように構成することにより、請求項４に記載された本発明によれば、分離用リブの上面の水が表面を伝わって分離用リブの下面に流れても、分離用リブの下面角から水滴となってカバーの外側に落下させることができる。もし、分離用リブの上面の水が分離用リブの表面を伝わって下面を伝わり流れても、カバーの鉛直方向上側端部が分離用リブの下面に接して設けてあるため、カバーの外表面を伝わって水が流れることになり、カバーと鉛直方向下側に配置されるバスバーとの間に流れ込む量を減少又はカバーとバスバーとの間に流れ込むのを防止することができる。
【００１５】
上記課題を解決するため請求項５記載のバスバー回路板は、絶縁基板を鉛直に配置し、絶縁基板上に異なる電位を持つ少なくとも２種のバスバーを配置してなるバスバー回路板において，
絶縁基板を覆うカバーをバスバー回路板に設け，
電位の異なる２種のバスバーを鉛直方向に上下して水平方向に配策されるバスバー間に該バスバーの厚さより大きい高さの分離用リブを設け，
カバーに分離用リブに沿って、分離用リブが外部に露出するようにスリットを形成し，
分離用リブは、絶縁基板を覆うカバーのスリットを貫通し、カバーの外表面から突出する高さに形成すると共に、分離用リブの鉛直方向上面に外側で鉛直方向下方に向かって傾斜する傾斜面を設けたものである。
このように構成することにより、請求項５に記載された本発明によれば、カバー表面を伝わって流れてきた水と、カバーと鉛直方向上側に配置されるバスバーに流れてきた水は、分離用リブの上面に到達し、分離用リブの上面を伝わって流れることになる。この分離用リブの上面に到達した水は、分離用リブの上面で、外側に向かって傾斜する傾斜面によって傾斜面上を下方に流れ分離用リブの先端に達する。この分離用リブの先端は、スリットを貫通し、カバーの外面より突出して設けられているため、傾斜面上を下方に流れ分離用リブの先端に達した水は、分離用リブの先端部からカバーの外側に落下し、カバーと鉛直方向下側に配置されるバスバーとの間に流れ込む水の量を減少又は流れ込むのを防止することができる。
【００１６】
また、カバーの鉛直方向上側端部を分離用リブの下面に接して設けておくと、分離用リブの上面の水が分離用リブの上面に設けた傾斜面を伝わって、分離用リブの下面に回り込んで流れても、分離用リブの下面に回り込んで流れてきた水は、カバーの外表面に流れ、このカバーの外表面を伝わって流れることになり、カバーと鉛直方向下側に配置されるバスバーとの間に流れ込む量を減少させるか又はカバーとバスバーとの間に流れ込むのを防止することができる。
【００１７】
上記課題を解決するため請求項６記載のバスバー回路板は、バスバーを覆うカバーのスリットの鉛直方向下側端部に、外側で鉛直方向下方に向かって傾斜する傾斜面を設けたものである。
このように構成することにより、請求項６に記載された本発明によれば、カバー表面を伝わって流れてきた水と、カバーと鉛直方向上側に配置されるバスバーとの間を伝わって下方に流れてきた水は、分離用リブの上面に到達し、分離用リブの上面を伝わって流れることになる。この分離用リブの上面に到達した水は、スリットの鉛直方向下側端部に、外側で鉛直方向下方に向かって傾斜する傾斜面が設けられているため、このスリットの鉛直方向下側端部に設けた傾斜面によって傾斜面上を下方に流れ、このスリットからカバーの外側に落下し、カバーと鉛直方向下側に配置されるバスバーとの間に流れ込む水の量を減少又は流れ込むのを防止することができる。
【００１８】
もし分離用リブの上面の水が分離用リブの上面に設けた傾斜面を伝わって、分離用リブの下面に回り込んで流れても、カバーの鉛直方向上側端部に、カバーの鉛直方向上側端部が分離用リブの下面に接している位置から、外側に向かって傾斜する傾斜面が形成されているため、分離用リブの下面に回り込んで流れてきた水は、カバーの鉛直方向上側端部に設けられた傾斜面を伝わってカバーの外表面に誘導される。そして、カバーの上側端部の傾斜面を伝わって流れた水は、カバーの外表面を伝わって流れることになり、カバーと鉛直方向下側に配置されるバスバーとの間に流れ込む量を減少させるか又はカバーとバスバーとの間に流れ込むのを防止することができる。
【００１９】
上記課題を解決するため請求項７記載のバスバー回路板は、バスバーを、隣接のバスバー間を分離する分離用リブに接して設けたものである。
このように構成することにより、請求項７に記載された本発明によれば、分離用リブの上面の水が表面を伝わって分離用リブの下面に流れても、バスバーを、隣接のバスバー間に設置する分離用リブに接して設けてあるため、バスバーと絶縁基板との間に流れ込むのを防止することができる。
【００２０】
上記課題を解決するため請求項８記載のバスバー回路板は、バスバーを覆うカバーのスリットの鉛直方向上側端部に、内面下端から下方外面に向かって傾斜する傾斜面を設けたものである。
このように構成することにより、請求項８に記載された本発明によれば、絶縁基板の分離用リブの鉛直方向上側に配置されるバスバーとカバーとの間を流れる水は、カバーの鉛直方向下端部でカバーの鉛直方向下端部先端から分離用リブの上面に落下する。この分離用リブの上面に落下した水は、バスバーを覆うカバーのスリットの鉛直方向上側端部に、内面下端から下方外面に向かって傾斜する傾斜面が形成されているため、このスリットの鉛直方向上側端部に設けた傾斜面によって傾斜面上を下方に流れる。そして、この分離用リブの先端は、スリットからカバーの外面より突出して設けられているため、スリットの傾斜面上を下方に流れた水は、スリットの下端部からカバーの外側に落下し、カバーと鉛直方向下側に配置されるバスバーとの間に流れ込む水の量を減少又は流れ込むのを防止することができる。
【００２１】
もし分離用リブの上面の水が分離用リブの上面に設けた傾斜面を伝わって、分離用リブの下面に回り込んで流れても、カバーの鉛直方向上側端部が分離用リブの下面に接して設けることによって、分離用リブの下面に回り込んで流れてきた水は、カバーの外表面に流れ、このカバーの外表面を伝わって流れることになり、カバーと鉛直方向下側に配置されるバスバーとの間に流れ込む量を減少させるか又はカバーとバスバーとの間に流れ込むのを防止することができる。
【００２２】
上記課題を解決するため請求項９記載のバスバー回路板は、分離用リブを挟んで配置される上下２つのバスバーは、鉛直方向下側に配置するバスバーの上端部を分離用リブに接して設け、鉛直方向上側に配置するバスバーの下端部と分離用リブとの間に溜まった水によって連絡されることのない間隙を設けたものである。
【００２３】
このように構成することにより、請求項９に記載された本発明によれば、鉛直方向上側に配置するバスバーと分離用リブとの間に間隙を設けてあるため、カバーの外側を流れる水と、絶縁基板の分離用リブの鉛直方向上側に配置されるバスバーとカバーとの間を流れる水は、カバーの下端部、絶縁基板の下端部で分離用リブの上面に落下し、分離用リブの表面と分離用リブの鉛直方向上側に配置されるバスバーとの間が水によって連絡されることが少なく、分離用リブの表面とバスバーとの間の導通性を減少させることができる。そして、分離用リブの上面に落下した水は、分離用リブの上面に設けられている傾斜面によって傾斜面上を下方に流れ、この分離用リブの先端がスリットからカバーの外面より突出して設けられているため、分離用リブの先端部からカバーの外側に落下し、カバーと鉛直方向下側に配置されるバスバーとの間に流れ込む水の量を減少又は流れ込むのを防止することができる。
【００２４】
もし分離用リブの上面の水が分離用リブの表面を伝わって下面を伝わり流れても、カバーの鉛直方向上側端部が分離用リブの下面に接して設けておけば、カバーの外表面を伝わって水が流れることになり、カバーと鉛直方向下側に配置されるバスバーとの間に流れ込む量を減少又はカバーとバスバーとの間に流れ込むのを防止することができる。
【００２５】
【発明の実施の形態】
以下、図面を参照して本発明の実施の形態を説明する。
図１〜図３には本発明に係るバスバー回路板の第１の実施の形態が示されている。バスバー回路板は、図示していないが、電気接続箱に収納され、この電気接続箱が縦置きに設置されることによって、バスバー回路板も縦置き状態となっている。
【００２６】
図１において、バスバー回路板１０は、絶縁材によって構成される絶縁基板１１を有しており、この絶縁基板１１には、配置用リブ１２が設けられている。この配置用リブ１２によって仕切られた箇所にバスバー１３が配置されている。また、この絶縁基板１１には、配置用リブ１６が設けられている。この配置用リブ１６によって仕切られた箇所にバスバー１５が配置されている。このバスバー１３とバスバー１５とは、図示していない電子回路基板に供給する電源ラインであり、電子回路基板の設計に応じて配策される。このバスバー１３とバスバー１５とは、それぞれ供給される電圧が異なっており、電子回路基板の設計に応じて絶縁基板１１において前後左右に配策されることになる。このバスバー１３とバスバー１５との間には、分離用リブ１４が設けられており、バスバー１３とバスバー１５とが容易に導通しないようになっている。
【００２７】
このバスバー１３とバスバー１５が配策された絶縁基板１１には、絶縁基板１１を覆うカバー１７が取り付けられている。このカバー１７は、バスバー１３とバスバー１５に接するように設けられている。このようにバスバー１３とバスバー１５が配策された絶縁基板１１にカバー１７を被せてバスバー回路板１０が構成されている。
【００２８】
この絶縁基板１１に配策され、電子回路に供給する電圧の異なるバスバー１３とバスバー１５は、隣接した状態、特に絶縁基板１１内で鉛直方向上下の位置に隣接した状態の場合、電気接続箱内部に水が浸入すると、この水によってバスバー１３、バスバー１５間でリークが生じる。このリークが発生すると、バスバー１３、バスバー１５から供給する電圧が不安定となり、電子回路が安定した動作を行えない状態にもなる。
【００２９】
そこで、このバスバー１３とバスバー１５との間に分離用リブ１４を設け、この分離用リブ１４の高さを、配置用リブ１２、１６によって仕切られた箇所に配置されているバスバー１３、１５の表面位置（厚さ）よりも高く形成してある。
【００３０】
また、水平方向に配策されるバスバー１３とバスバー１５との間に設けられる分離用リブ１４に合わせて、カバー１７には、スリット１８が設けられている。このスリット１８は、バスバー１３とバスバー１５とを大きく分断するようなスリットとなっているが、バスバー１３とバスバー１５とが鉛直方向上下して、分離用リブ１４を挟み水平方向に配策されている箇所には、スリット１８と同様にスリット３０Ａ、３０Ｂ、３０Ｃが設けられている。図１においてカバー１７は、スリット１８によって、恰もバスバー１３を覆うカバー１７Ａと、バスバー１５を覆うカバー１７Ｂに分離しているような状態になっている。
【００３１】
図１において、絶縁基板１１と、バスバー１３と、分離用リブ１４と、バスバー１５と、カバー１７Ａと、カバー１７Ｂと、スリット１８との関係は、図２に示す如く構成されている。これは、スリット３０Ａ、３０Ｂ、３０Ｃと、絶縁基板１１と、バスバー１３と、分離用リブ１４と、バスバー１５と、カバー１７Ｂとの関係も同様である。この図２においては、絶縁基板１１と、バスバー１３と、分離用リブ１４と、バスバー１５と、カバー１７Ａと、カバー１７Ｂと、スリット１８との関係で説明する。
【００３２】
すなわち、絶縁基板１１の中央に設けられている分離用リブ１４を挟んで、バスバー１３、バスバー１５が配置されている。さらに、このバスバー１３とバスバー１５の上にカバー１７が、バスバー１３の上にカバー１７Ａがくるように、バスバー１５の上にカバー１７Ｂがくるようにそれぞれ配置されている。
【００３３】
そして、絶縁基板１１の分離用リブ１４と、バスバー１３、バスバー１５と、カバー１７Ａ、カバー１７Ｂとの関係は、図３に示す如く構成されている。すなわち、バスバー１３とバスバー１５とは、絶縁基板１１の中央に設けられている分離用リブ１４に接して絶縁基板１１に裁置されている。すなわち、バスバー１３の一端部が分離用リブ１４に接触しており、バスバー１５の一端部が分離用リブ１４に接触した状態となっている。また、カバー１７Ｂの鉛直方向上端部は、分離用リブ１４に近接して設けられているが、カバー１７Ａの鉛直方向下端部は、分離用リブ１４と間隙をもって隔離されている。さらに、分離用リブ１４の高さは、バスバー１３、バスバー１５の上面よりは突出して形成されているが、カバー１７Ａ、カバー１７Ｂの上面よりは突出しないように（理想的には、カバー１７Ａ、カバー１７Ｂの厚さの１／２の高さ）形成されている。
【００３４】
このように、バスバー１３を覆いカバー１７Ａが、バスバー１５を覆いカバー１７Ｂが、設けられているため、電気接続箱内に水が浸入しても、このカバー１７によってバスバー１３、バスバー１５の表面への水の付着量が抑えられ、水のバスバー１３、バスバー１５に付着する量を減少することができる。
【００３５】
また、カバー１７Ａの表面を伝わって流れてきた水は、カバー１７Ａの鉛直方向下側端部で、分離用リブ１４の上面に落下するか、カバー１７Ａの鉛直方向下側端部を回り込んでバスバー１３の表面を流れて分離用リブ１４の上面に到達する。一方、カバー１７Ａとバスバー１３の表面との間を流れてきた水は、バスバー１３の鉛直方向下側端部と分離用リブ１４の接触箇所で分離用リブ１４の上面に到達する。この分離用リブ１４の上面に到達した水は、分離用リブ１４の上面を流れ、分離用リブ１４の先端でカバー１７Ｂの鉛直方向上側端部に流れ落ちる。このカバー１７Ｂの鉛直方向上側端部に流れ落ちた水は、カバー１７Ｂの外側に流れこみ、カバー１７Ｂの外側表面を伝わって下に流れる。
【００３６】
したがって、本実施の形態によれば、カバー１７Ｂと鉛直方向下側に配置されるバスバー１５との間に流れ込む水の量を減少又はカバーとバスバーとの間に流れ込むのを防止することができる。
【００３７】
図４には本発明に係るバスバー回路板の第２の実施の形態が示されている。　　図４において、本実施の形態が、図３に図示の実施の形態と異なる点は、カバー１７のスリット１８の鉛直方向下側端部に外側に向かって傾斜する傾斜面１７ｂを設けた点である。この傾斜面１７ｂは、カバー１７のスリット１８の下端部の分離用リブ１４の下面に接する位置から形成してある。そして、この傾斜面１７ｂの傾斜角度αは、傾斜面１７ｂに着いた水が流れるのに十分な角度で、理想的には、３０°〜４５°が適している。
【００３８】
このように構成してあるため、カバー１７Ａの表面を伝わって流れてきた水は、カバー１７のスリット１８の鉛直方向上側端部で、分離用リブ１４の上面に落下するか、カバー１７のスリット１８の鉛直方向上側端部を回り込んでバスバー１３の表面を流れて分離用リブ１４の上面に到達する。一方、カバー１７Ａとバスバー１３の表面との間を流れてきた水は、バスバー１３の鉛直方向下側端部と分離用リブ１４の接触箇所で分離用リブ１４の上面に到達する。この分離用リブ１４の上面に到達した水は、分離用リブ１４の上面を流れ、分離用リブ１４の先端でカバー１７Ｂの鉛直方向上側端部に流れ落ちる。
【００３９】
分離用リブ１４から流れ落ちてもカバー１７Ｂの鉛直方向上側端部に落下し、多くはカバー１７Ｂ表面を伝わって流れるため、カバー１７Ｂと鉛直方向下側に配置されるバスバー１５との間に流れ込むのを防止することができる。もし分離用リブ１４の上面の水が分離用リブ１４の下面を伝わり流れても、カバー１７のスリット１８の鉛直方向下側端部に外側に向かって傾斜する傾斜面１７ｂを設けているため、この分離用リブ１４の下面とカバー１７のスリット１８の傾斜面１７ｂとの接点まで流れた水は、この傾斜面１７ｂによってカバー１７Ｂの外側表面を伝わって下に流れる。このように、本実施の形態によれば、カバー１７Ａとバスバー１３との間を伝わって流れてきた水２０は、分離用リブ１４を伝わってバスバー１５に伝わろうとするが、このカバー１７のスリット１８の下端部に形成される外側に向かって傾斜する傾斜面１７ｂによって水２０は、カバー１７のスリット１８の傾斜面１７ｂ上に落下し、カバー１７のスリット１８の傾斜面１７ｂを伝わってカバー１７Ｂの外表面に流れる。これによって分離用リブ１４を伝わってバスバー１５に流れ込む水の量を減少させることができる。
【００４０】
図５には本発明に係るバスバー回路板の第３の実施の形態が示されている。　　図５において、本実施の形態が、図３に図示の実施の形態と異なる点は、絶縁基板１１の中央にバスバー１３を覆うカバー１７Ａと、バスバー１５を覆うカバー１７Ｂとの間に設けられたスリット１８を貫通して、カバー１７Ａの外表面１７Ａａ、カバー１７Ｂの外表面１７Ｂｂ、から突出する高さの分離用リブ１４Ａを設けた点である。この分離用リブ１４Ａのカバー１７Ａの外表面１７Ａａ、カバー１７Ｂの外表面１７Ｂｂから突出する高さＨは、分離用リブ１４Ａを伝わってバスバー１５側に流れ込まず、カバー１７Ｂの外表面１７Ｂｂに伝わるのに十分な高さ（理想的には、カバー１７Ａ、カバー１７Ｂの厚さの１．５倍の高さ）に形成されている。
【００４１】
このように構成してあるため、カバー１７Ａとバスバー１３との間を伝わって流れてきた水２０は、分離用リブ１４Ａを伝わってバスバー１５に伝わろうとするが、分離用リブ１４Ａがスリット１８を貫通し、カバー１７の外表面より突出し、バスバー１３を覆うカバー１７Ａの外表面１７Ａａ、バスバー１５を覆うカバー１７Ｂの外表面１７Ｂｂから突出する高さに形成されている。このため、分離用リブ１４Ａの先端に伝わった水２０は、多くは、分離用リブ１４Ａの先端部からカバー１７Ｂの外側下方に落下する。したがって、カバー１７Ｂと鉛直方向下側に配置されるバスバー１５との間に流れ込む水の量を減少又は流れ込むのを防止することができる。
【００４２】
また、分離用リブ１４Ａの上面の水２０が、分離用リブ１４Ａの表面を伝わって流れ分離用リブ１４Ａの下面側に回り込んで流れても、カバー１７Ｂの鉛直方向上側端部が分離用リブ１４Ａの下面に近接して設けてあるため、分離用リブ１４Ａの下面に回り込んで流れてきた水２０は、カバー１７Ｂの外表面に流れ、このカバー１７Ｂの外表面を伝わって流れることになり、カバー１７Ｂと鉛直方向下側に配置されるバスバー１５との間に流れ込む量を減少させるか又はカバー１７Ｂとバスバー１５との間に流れ込むのを防止することができる。
【００４３】
図６には本発明に係るバスバー回路板の第４の実施の形態が示されている。　　図６において、本実施の形態が、図３に図示の実施の形態と異なる点は絶縁基板１１の中央にバスバー１３を覆うカバー１７Ａ、バスバー１５を覆うカバー１７Ｂとの間に設けられたスリット１８を貫通して、バスバー１３を覆うカバー１７Ａの外表面１７Ａａ、バスバー１５を覆うカバー１７Ｂの外表面１７Ｂｂから突出する高さの分離用リブ１４Ａを設けた点と、カバー１７のスリット１８の鉛直方向上側端部に外側に向かって傾斜する傾斜面１７ｂを設けた点である。
【００４４】
この分離用リブ１４Ａのカバー１７Ａの外表面１７Ａａ、カバー１７Ｂの外表面１７Ｂｂからスリット１８を貫通して突出する高さＨは、分離用リブ１４Ａを伝わってバスバー１５側に流れ込まず、カバー１７Ｂの外表面１７Ｂｂに伝わるのに十分な高さ（理想的には、カバー１７Ａ、カバー１７Ｂの厚さの１．５倍の高さ）に形成されている。また、この傾斜面１７ｂは、カバー１７のスリット１８の下端部の分離用リブ１４Ａの下面に近接する位置から形成してある。そして、この傾斜面１７ｂの傾斜角度αは、傾斜面１７ｂに着いた水が流れるのに十分な角度で、理想的には、３０°〜４５°が適している。
【００４５】
このように構成してあるため、カバー１７Ａとバスバー１３との間を伝わって流れてきた水２０は、分離用リブ１４Ａを伝わってバスバー１５に伝わろうとするが、分離用リブ１４Ａがスリット１８より突出し、バスバー１３を覆うカバー１７Ａの外表面１７Ａａ、バスバー１５を覆うカバー１７Ｂの外表面１７Ｂｂから突出する高さに形成されているため、分離用リブ１４Ａの先端に伝わった水２０の多くは、分離用リブ１４Ａの先端部からカバー１７Ｂの外側下方に落下する。したがって、カバー１７Ｂと鉛直方向下側に配置されるバスバー１５との間に流れ込む水の量を減少又は流れ込むのを防止することができる。
【００４６】
また、分離用リブ１４Ａの上面の水２０が、分離用リブ１４Ａの表面を伝わって流れ分離用リブ１４Ａの下面側に回り込んで流れても、カバー１７のスリット１８の鉛直方向下側端部に外側に向かって傾斜する傾斜面１７ｂを設けているため、この分離用リブ１４Ａの下面とカバー１７のスリット１８の傾斜面１７ｂとの近接点まで流れた水２０は、この傾斜面１７ｂによってカバー１７Ｂの外表面に流れ、このカバー１７Ｂの外表面を伝わって流れることになり、カバー１７のスリット１８と鉛直方向下側に配置されるバスバー１５との間に流れ込む量を減少又はカバー１７Ｂとバスバー１５との間に流れ込むのを防止することができる。
【００４７】
図７には本発明に係るバスバー回路板の第５の実施の形態が示されている。　　図７において、本実施の形態が、図５に図示の実施の形態と異なる点は、絶縁基板１１の中央にバスバー１３を覆うカバー１７Ａと、バスバー１５を覆うカバー１７Ｂとの間に設けられたスリット１８を貫通して、カバー１７Ａの外表面１７Ａａ、カバー１７Ｂの外表面１７Ｂｂ、から突出する高さに設けた分離用リブ１４Ａのカバー１７Ａ側の面（上面）に、分離用リブ１４Ａの先端部下方に向かって傾斜する傾斜面１４ａを設けた点である。
【００４８】
この分離用リブ１４Ａのカバー１７Ａの外表面１７Ａａ、カバー１７Ｂの外表面１７Ｂｂから突出する高さＨは、分離用リブ１４Ａを伝わってバスバー１５側に流れ込まず、カバー１７Ｂの外表面１７Ｂｂに伝わるのに十分な高さ（理想的には、カバー１７Ａ、カバー１７Ｂの厚さの１．５倍の高さ）に形成されている。また、この傾斜面１４ａは、バスバー１３の下端部の分離用リブ１４Ａの上面に接する位置から形成してある。そして、この傾斜面１４ａの傾斜角度βは、傾斜面１４ａに付いた水が流れるのに十分な角度で、理想的には、３０°〜４５°が適している。
【００４９】
このように構成してあるため、カバー１７Ａとバスバー１３との間を伝わって流れてきた水は、分離用リブ１４Ａの傾斜面１４ａに誘導されて、分離用リブ１４Ａの傾斜面１４ａを伝わって分離用リブ１４Ａの先端まで流れてくる。この分離用リブ１４Ａの先端まで流れてきた水は、分離用リブ１４Ａの下面を伝わってバスバー１５に伝わろうとするが、分離用リブ１４Ａがスリット１８より突出し、バスバー１３を覆うカバー１７Ａの外表面１７Ａａ、バスバー１５を覆うカバー１７Ｂの外表面１７Ｂｂから突出する高さに形成されているため、多くは、分離用リブ１４Ａの先端部からカバー１７Ｂの外側下方に落下する。したがって、カバー１７Ｂと鉛直方向下側に配置されるバスバー１５との間に流れ込む水の量を減少又は流れ込むのを防止することができる。
【００５０】
また、分離用リブ１４Ａの上面の水が、分離用リブ１４Ａの表面を伝わって流れ分離用リブ１４Ａの下面側に回り込んで流れても、カバー１７Ｂの鉛直方向上側端部が分離用リブ１４Ａの下面に近接して設けてあるため、分離用リブ１４Ａの下面に回り込んで流れてきた水は、カバー１７Ｂの外表面に流れ、このカバー１７Ｂの外表面を伝わって流れることになり、カバー１７Ｂと鉛直方向下側に配置されるバスバー１５との間に流れ込む量を減少させるか又はカバー１７Ｂとバスバー１５との間に流れ込むのを防止することができる。
【００５１】
図８には本発明に係るバスバー回路板の第６の実施の形態が示されている。　　図８において、本実施の形態が、図７に図示の実施の形態と異なる点は、カバー１７のスリット１８の鉛直方向下側端部に外側に向かって傾斜する傾斜面１７ｂを設けた点である。この傾斜面１７ｂの傾斜角度αは、傾斜面１７ｂに付いた水が流れるのに十分な角度で、理想的には、３０°〜４５°が適している。
【００５２】
このように構成してあるため、カバー１７Ａとバスバー１３との間を伝わって流れてきた水は、分離用リブ１４Ａの傾斜面１４ａに誘導されて、分離用リブ１４Ａの傾斜面１４ａを伝わって分離用リブ１４Ａの先端まで流れてくる。この分離用リブ１４Ａの先端まで流れてきた水は、分離用リブ１４Ａの下面を伝わってバスバー１５に伝わろうとするが、分離用リブ１４Ａがスリット１８より突出し、バスバー１３を覆うカバー１７Ａの外表面１７Ａａ、バスバー１５を覆うカバー１７Ｂの外表面１７Ｂｂから突出する高さに形成されているため、多くは、分離用リブ１４Ａの先端部からカバー１７Ｂの外側下方に落下する。したがって、カバー１７Ｂと鉛直方向下側に配置されるバスバー１５との間に流れ込む水の量を減少又は流れ込むのを防止することができる。
【００５３】
また、分離用リブ１４Ａの上面の水が、分離用リブ１４Ａの表面を伝わって流れ分離用リブ１４Ａの下面側に回り込んで流れても、分離用リブ１４Ａの下面側を伝わって流れる水は、カバー１７Ｂの鉛直方向上側端部と近接した箇所で、カバー１７Ｂの鉛直方向上側端部に設けられた傾斜面１７ｂに誘導されて傾斜面１７ｂを伝わって、カバー１７Ｂの外表面に流れ、このカバー１７Ｂの外表面を伝わって流れることになり、カバー１７のスリット１８と鉛直方向下側に配置されるバスバー１５との間に流れ込む量を減少させるか又はカバー１７Ｂとバスバー１５との間に流れ込むのを防止することができる。
【００５４】
図９には本発明に係るバスバー回路板の第７の実施の形態が示されている。　　図９において、本実施の形態が、図５に図示の実施の形態と異なる点は、絶縁基板１１の中央にバスバー１３を覆うカバー１７Ａと、バスバー１５を覆うカバー１７Ｂとの間に設けられたスリット１８を貫通して、カバー１７Ａの外表面１７Ａａ、カバー１７Ｂの外表面１７Ｂｂ、から突出する高さに設けた分離用リブ１４Ａのカバー１７Ａ側の面（上面）に、分離用リブ１４Ａの先端部下方に向かって傾斜する傾斜面１４ａを設けた点と、カバー１７のスリット１８の鉛直方向上側端部に内面下端から下方外面に向かって傾斜する傾斜面１７Ａｂを設けた点と、カバー１７のスリット１８の鉛直方向上側端部に外側に向かって傾斜する傾斜面１７ｂを設けた点である。
【００５５】
この分離用リブ１４Ａのカバー１７Ａの外表面１７Ａａ、カバー１７Ｂの外表面１７Ｂｂから突出する高さＨは、分離用リブ１４Ａを伝わってバスバー１５側に流れ込まず、カバー１７Ｂの外表面１７Ｂｂに伝わるのに十分な高さ（理想的には、カバー１７Ａ、カバー１７Ｂの厚さの１．５倍の高さ）に形成されている。また、分離用リブ１４Ａの傾斜面１４ａは、バスバー１３に接する位置から形成してある。そして、この傾斜面１４ａの傾斜角度βは、傾斜面１４ａに付いた水が流れるのに十分な角度で、理想的には、３０°〜４５°が適している。
【００５６】
さらに、カバー１７のスリット１８の鉛直方向上側端部の傾斜面１７Ａｂの傾斜角度γは、傾斜面１７Ａｂに付いた水が流れるのに十分な角度で、理想的には、３０°〜４５°が適している。そして、カバー１７のスリット１８の下端部の傾斜面１７ｂの傾斜角度αは、傾斜面１７ｂに付いた水が流れるのに十分な角度で、理想的には、３０°〜４５°が適している。
【００５７】
このように構成してあるため、カバー１７Ａとバスバー１３との間を伝わって流れてきた水は、カバー１７のスリット１８の鉛直方向上側端部にまで流れ、一部はバスバー１３の表面を伝わって流れ、一部はカバー１７のスリット１８の鉛直方向上側端部でカバー１７のスリット１８の鉛直方向上側端部に設けた内面下端から下方外面に向かって傾斜する傾斜面１７Ａｂに誘導されて、傾斜面１７Ａｂ上を流れる。この傾斜面１７Ａｂ上を流れた水は、カバー１７Ａの下端部から分離用リブ１４Ａ上に落下する。
【００５８】
この分離用リブ１４Ａにはカバー１７Ａ側の面（上面）に傾斜面１４ａが設けられているため、カバー１７Ａの下端部から落下する水は、分離用リブ１４Ａの傾斜面１４ａに落下することになる。この分離用リブ１４Ａの傾斜面１４ａに落下した水と、バスバー１３の表面を伝わって分離用リブ１４Ａの上面に流れた水は、分離用リブ１４Ａの傾斜面１４ａに誘導されて、分離用リブ１４Ａの傾斜面１４ａを伝わって分離用リブ１４Ａの先端まで流れてくる。この分離用リブ１４Ａの先端まで流れてきた水は、分離用リブ１４Ａの下面を伝わってバスバー１５に伝わろうとするが、分離用リブ１４Ａがスリット１８より突出し、バスバー１３を覆うカバー１７Ａの外表面１７Ａａ、バスバー１５を覆うカバー１７Ｂの外表面１７Ｂｂから突出する高さに形成されているため、多くは、分離用リブ１４Ａの先端部からカバー１７Ｂの外側下方に落下する。したがって、カバー１７Ｂと鉛直方向下側に配置されるバスバー１５との間に流れ込む水の量を減少又は流れ込むのを防止することができる。
【００５９】
また、分離用リブ１４Ａの上面の水が、分離用リブ１４Ａの表面を伝わって流れ分離用リブ１４Ａの下面側に回り込んで流れても、分離用リブ１４Ａの下面側を伝わって流れる水は、カバー１７のスリット１８の鉛直方向下側端部と接する箇所で、カバー１７のスリット１８の鉛直方向下側端部に設けられた傾斜面１７ｂに誘導されて傾斜面１７ｂを伝わって、カバー１７Ｂの外表面に流れ、このカバー１７Ｂの外表面を伝わって流れることになり、カバー１７Ｂと鉛直方向下側に配置されるバスバー１５との間に流れ込む量を減少させるか又はカバー１７Ｂとバスバー１５との間に流れ込むのを防止することができる。
【００６０】
図１０には、本発明に係るバスバー回路板の第８の実施の形態が示されている。
図１０において、本実施の形態が、図７に図示の実施の形態と異なる点は、絶縁基板１１の中央にバスバー１３を覆うカバー１７Ａと、バスバー１５を覆うカバー１７Ｂとの間に設けられたスリット１８を貫通して、カバー１７Ａの外表面１７Ａａと、カバー１７Ｂの外表面１７Ｂｂとから突出する高さに設けた分離用リブ１４Ａとバスバー１５の下側端部との間に間隙１９を設けた点である。
【００６１】
この分離用リブ１４Ａのカバー１７Ａの外表面１７Ａａ、カバー１７Ｂの外表面１７Ｂｂから突出する高さＨは、分離用リブ１４Ａを伝わってバスバー１５側に流れ込まず、カバー１７Ｂの外表面１７Ｂｂに伝わるのに十分な高さ（理想的には、カバー１７Ａ、カバー１７Ｂの厚さの１．５倍の高さ）に形成されている。また、分離用リブ１４Ａの傾斜面１４ａは、バスバー１３に接する位置から形成してある。そして、この傾斜面１４ａの傾斜角度βは、傾斜面１４ａに付いた水が流れるのに十分な角度で、理想的には、３０°〜４５°が適している。
【００６２】
このように構成してあるため、カバー１７Ａの外表面１７Ａａを伝わって流れてきた水はカバー１７Ａの鉛直方向下側端部から、カバー１７Ａとバスバー１３との間を伝わって流れてきた水はカバー１７Ａの鉛直方向下端のカバー１７Ａとバスバー１３間から分離用リブ１４Ａの上面に落下する。一部は、カバー１７Ａの鉛直方向下側端部からバスバー１３の鉛直方向下側端部を通り、絶縁基板１１の表面を伝わって分離用リブ１４Ａの上面に流れる。
【００６３】
この分離用リブ１４Ａの上面に流れた水は、分離用リブ１４Ａの表面を伝わって流れ、分離用リブ１４Ａの傾斜面１４ａに誘導されて、分離用リブ１４Ａの傾斜面１４ａを伝わって分離用リブ１４Ａの先端まで流れる。この分離用リブ１４Ａの先端まで流れた水は、分離用リブ１４Ａの下面を伝わってバスバー１５に伝わろうとするが、分離用リブ１４Ａがスリット１８より突出し、バスバー１３を覆うカバー１７Ａの外表面１７Ａａ、バスバー１５を覆うカバー１７Ｂの外表面１７Ｂｂから突出する高さに形成されているため、多くは、分離用リブ１４Ａの先端部からカバー１７Ｂの外側下方に落下する。したがって、カバー１７Ｂと鉛直方向下側に配置されるバスバー１５との間に流れ込む水の量を減少又は流れ込むのを防止することができる。
【００６４】
また、分離用リブ１４Ａの上面の水が、分離用リブ１４Ａの表面を伝わって流れ分離用リブ１４Ａの下面側に回り込んで流れても、カバー１７Ｂの鉛直方向上側端部が分離用リブ１４Ａの下面に接して設けてあるため、分離用リブ１４Ａの下面に回り込んで流れてきた水は、カバー１７Ｂの外表面に流れ、このカバー１７Ｂの外表面を伝わって流れることになり、カバー１７Ｂと鉛直方向下側に配置されるバスバー１５との間に流れ込む量を減少させるか又はカバー１７Ｂとバスバー１５との間に流れ込むのを防止することができる。
【００６５】
【発明の効果】
以上説明したように構成されているので、以下のような効果を奏する。
【００６６】
請求項１に記載の発明によれば、電気接続箱内に水が浸入しても、この水のバスバーに付着する量を減少することができる。
【００６７】
請求項２に記載の発明によれば、電気接続箱内に水が鉛直方向上側に配置されるバスバー表面に付着しても、この水が鉛直方向下側に配置されるバスバー表面に流れ込む量を減少又はバスバー表面に流れ込むのを防止することができる。
【００６８】
請求項３に記載の発明によれば、電気接続箱内に水が鉛直方向上側に配置されるバスバー表面に付着しても、カバー上端部の分離用リブ下面に接する位置で傾斜面によって水を切ることができ、鉛直方向下側に配置されるバスバー表面に流れ込む量を減少又はバスバー表面に流れ込むのを防止することができる。
【００６９】
請求項４に記載の発明によれば、電気接続箱内に水が鉛直方向上側に配置されるバスバー表面に付着しても、バスバーを覆うカバーの外表面から突出する高さに分離用リブを形成しているため、分離用リブを乗り越えて鉛直方向下側に配置されるバスバー表面に流れ込む量を減少又はバスバー表面に流れ込むのを防止することができる。
【００７０】
請求項５に記載の発明によれば、電気接続箱内に水が鉛直方向上側に配置されるバスバー表面に付着しても、バスバーを覆うカバーの外表面から突出する高さに分離用リブを形成し、分離用リブの鉛直方向上面に外側に向かって傾斜する傾斜面を設けているため、分離用リブの表面に流れた水をカバーの外に誘導するため、鉛直方向下側に配置されるバスバー表面に流れ込む量を減少又はバスバー表面に流れ込むのを防止することができる。
【００７１】
請求項６に記載の発明によれば、バスバーを覆うカバーの分離用リブで分離されたカバーの鉛直方向下側に配置するカバーの鉛直方向上側端部に傾斜面を設けているため、分離用リブの表面を伝わってカバーの鉛直方向上側端部に流れた水を傾斜面で誘導したカバーの外側に流すことができるので、鉛直方向下側に配置されるバスバー表面に流れ込む量を減少又はバスバー表面に流れ込むのを防止することができる。
【００７２】
請求項７に記載の発明によれば、分離用リブの上面の水が表面を伝わって分離用リブの下面に流れても、バスバーを、隣接のバスバー間に設置する分離用リブに接して設けてあるため、バスバーと絶縁基板との間に流れ込むのを防止することができる。
【００７３】
請求項８に記載の発明によれば、絶縁基板の分離用リブの鉛直方向上側に配置されるバスバーとカバーとの間を流れる水は、カバーの鉛直方向下端部でカバーの鉛直方向下端部先端から分離用リブの上面に落下させることができる。
【００７４】
請求項９に記載の発明によれば、鉛直方向上側に配置するバスバーと分離用リブとの間に間隙を設けてあるため、カバーの外側を流れる水と、絶縁基板の分離用リブの鉛直方向上側に配置されるバスバーとカバーとの間を流れる水を、下端部で分離用リブの上面に落下し、分離用リブの表面と分離用リブの鉛直方向上側に配置されるバスバーとの間が水によって連絡されることが少なく、分離用リブの表面とバスバーとの間の導通性を減少させることができる。
【図面の簡単な説明】
【図１】本発明の第１の実施の形態を示すバスバー回路板の一部断面全体斜視図である。
【図２】図１に図示のバスバー回路板の側面図である。
【図３】図２に図示の一部拡大図である。
【図４】本発明の第２の実施の形態を示すバスバー回路板の一部拡大図である。
【図５】本発明の第３の実施の形態を示すバスバー回路板の一部拡大図である。
【図６】本発明の第４の実施の形態を示すバスバー回路板の一部拡大図である。
【図７】本発明の第５の実施の形態を示すバスバー回路板の一部拡大図である。
【図８】本発明の第６の実施の形態を示すバスバー回路板の一部拡大図である。
【図９】本発明の第７の実施の形態を示すバスバー回路板の一部拡大図である。
【図１０】本発明の第８の実施の形態を示すバスバー回路板の一部拡大図である。
【図１１】従来のバスバー回路板の全体斜視図である。
【図１２】図１１に図示の断面側面図である。
【符号の説明】
１０……………………………………バスバー回路板
１１……………………………………絶縁基板
１３，１５……………………………バスバー
１４，１４Ａ…………………………分離用リブ
１４ａ…………………………………傾斜面
１７，１７Ａ，１７Ｂ………………カバー
１７ｂ，１７Ａｂ……………………傾斜面
１７Ａａ，１７Ｂｂ…………………外表面
１８……………………………………スリット
１９……………………………………間隙
３０Ａ，３０Ｂ，３０Ｃ……………スリット
【図１】
2004120907.tif 000003
【図２】
2004120907.tif 000004
【図３】
2004120907.tif 000005
【図４】
2004120907.tif 000006
【図５】
2004120907.tif 000007
【図６】
2004120907.tif 000008
【図７】
2004120907.tif 000009
【図８】
2004120907.tif 000010
【図９】
2004120907.tif 000011
【図１０】
2004120907.tif 000012
【図１１】
2004120907.tif 000013
【図１２】
2004120907.tif 000014